(57)【特許請求の範囲】
【請求項１】
複数スロットを有する鉄心と、前記鉄心を電気的に絶縁する突き合わせの絶縁体と、前記鉄心のスロットに前記絶縁体を介してほどこされた巻線とを有する固定子と、前記固定子の磁極面と対向して配置される永久磁石回転子と、前記回転子を回転自在に保持する軸受と、前記軸受を前記固定子に保持するハウジングと、前記固定子に保持された回路基板とをそなえた電動機において、前記鉄心を前記ハウジングに圧入するときに前記鉄心の打ち抜きバリが前記ハウジングの表面を削り取ることにより生じる切り粉の量の抑制のために前記鉄心を前記ハウジングに圧入する向きを前記鉄心の反バリ側からに規制するように前記絶縁体の底面に凸部を一体成型し、かつ前記鉄心の前記凸部を設けた絶縁体を挿入する側に相対する凹部を設けた構成を有し、さらに前記切り粉の溜まりのために前記絶縁体の内周面の底面側を外径方向に段付き形状とした構成を有するアウターロータ型の電動機。
【発明の詳細な説明】
【０００１】
【発明の属する技術分野】
本発明は複数のスロットを有する鉄心と、前記鉄心を電気的に絶縁する突き合わせの絶縁体と、前記鉄心のスロットに前記絶縁体を介してほどこされた巻線とを有する固定子と、前記固定子の磁極面と対向して配置される永久磁石回転子と、前記回転子を回転自在に保持する軸受と、前記軸受を前記固定子に保持するハウジングと、前記固定子に保持された回路基板とをそなえた電動機に関する。
【０００２】
【従来の技術】
近年、家電機器や空調機器に使用される電動機は、高信頼性化や低コスト化が強く要望されている。
【０００３】
以下に従来の電動機について説明する。
図６は従来の電動機の半断面図を示すものである。図６において、１は鉄心、９は突き合わせの絶縁体、３は巻線、４は永久磁石回転子、５は軸受、６はハウジング、７は端子、８はプリント配線板である。
【０００４】
従来の電動機は鉄心１のスロット内で突き合わせる絶縁体９、および巻線３により成る固定子を絶縁体９にそなえられ、かつ巻線３の先端を絡げた端子７によってプリント配線板８にハンダ付け固定し、さらに鉄心１の内周面をハウジング６の外周面に圧入固定した構成を有している。
【０００５】
【発明が解決しようとする課題】
しかしながら上記従来の構成では、鉄心１を圧入する際に鉄心１の打ち抜きバリが比較的柔らかい材質のハウジング６の表面を削り取ってしまう。その切り粉の量を最小におさえるためには鉄心１をハウジング６に圧入する向きを反バリ側からに規制しなければならないが、絶縁体９を鉄心１のスロット内で突き合わせて巻線３をほどこした固定子の状態では鉄心１のバリ側の判定が困難になるという問題点、また前記切り粉がプリント配線板８の上に溜まりショートによる不良の原因になるという問題点を有していた。
【０００６】
本発明は上記従来の問題点を解決するもので、高信頼性で、かつ比較的低コストの電動機を提供することを目的とする。
【０００７】
【課題を解決するための手段】
この課題を解決するために本発明は、鉄心の両端からスロット内で突き合わせる絶縁体の片方の底面に凸部を一体成型し、かつ凸部を設けた絶縁体を挿入する側の鉄心の端面にその凸部と相対する凹部を設けた構成を有している。
【０００８】
そして、本発明の電動機は、絶縁体の内周面の底面側を外径方向に段付き形状とした構成を有している。
【０００９】
【発明の実施の形態】
本発明は、複数のスロットを有する鉄心と、前記鉄心を電気的に絶縁する突き合わせの絶縁体と、前記鉄心のスロットに前記絶縁体を介してほどこされた巻線とを有する固定子と、前記固定子の磁極面と対向して配置される永久磁石回転子と、前記回転子を回転自在に保持する軸受と、前記軸受を前記固定子に保持するハウジングと、前記固定子に保持された回路基板とをそなえた電動機において、前記絶縁体の底面に凸部を一体成型し、かつ前記鉄心の前記凸部を設けた絶縁体を挿入する側に相対する凹部を設けたものであり、底面の形状の異なる突き合わせの絶縁体を、両端面の形状が異なる鉄心に挿入するので、鉄心の打ち抜きバリの向きを一意的に決めることができる。よって、電動機を組み立てる際に鉄心の打ち抜きバリの向きの識別を簡単にでき、またセンサーによる方向の識別が可能であり、組み込み方向間違えによる不良の発生を防止することができる。
【００１０】
そして、本発明は、複数のスロットを有する鉄心と、前記鉄心を電気的に絶縁する突き合わせの絶縁体と、前記鉄心のスロットに前記絶縁体を介してほどこされた巻線とを有する固定子と、前記固定子の磁極面と対向して配置される永久磁石回転子と、前記回転子を回転自在に保持する軸受と、前記軸受を前記固定子に保持するハウジングと、前記固定子に保持された回転基板とをそなえた電動機において、前記絶縁体の内周面の底面側を外径方向に段付き形状としたものであり、絶縁体の内周面の段付き部分と、鉄心を圧入したハウジングとの間で切り粉溜まりを設けることができ、切り粉を外部へ出さないという作用を有する。
【００１１】
以下、本発明の実施の形態について、図１から図５を用いて説明する。
（実施の形態１）
図１は本発明の一実施の形態における電動機の半断面図を示すものである。図２は図１における鉄心と絶縁体の組み合わせ方を示した斜視図であり、図３は図２の断面図である。
【００１２】
また、図４は図１における鉄心と鉄心のスロット内で突き合わせる絶縁体と巻線により成る固定子をハウジングに圧入した状態の断面図である。
【００１３】
また、図５は圧入の途中での切り粉の動きを示す説明図である。
図１において１は鉄心、２は突き合わせの絶縁体、３は巻線、４は永久磁石回転子、５は軸受、６はハウジング、７は端子、８はプリント配線板であり、図３において、１ａは凹部、１ｂは打ち抜きバリ、２ａは凸部、２ｂは段付き部分であり、図２において２ｃは切り粉溜り部である。
【００１４】
また、図５において６ａはハウジングの切り粉である。絶縁体２を鉄心１のスロット内で突き合わせるように挿入する際に、絶縁体２の底面に一体成型された凸部２ａと鉄心１の端面に設けられた凹部１ａによって、鉄心１の打ち抜きバリ１ｂの向きが一意的に決まる。
【００１５】
また絶縁体２の内周面の底面側を外径方向に段付きとした部分２ｂと、ハウジング６により、切り粉溜り部２ｃが構成され、圧入の際出る切り粉６ａを閉じ込めることができる。
【００１６】
本発明は上記した実施の形態に限定されるものではない。
【００１７】
【発明の効果】
以上のように本発明は、鉄心の打ち抜きバリの向きの識別を簡単にでき、また組み間違えのような不良を防止でき、また鉄心圧入の際の切り粉を外部へ出さないという高信頼性確保のための構成を、絶縁体の形状を工夫することで実現でき、比較的抵コストの優れた電動機が実現できるものである。
【図面の簡単な説明】
【図１】  本発明の一実施の形態における電動機の半断面図
【図２】  図１における鉄心と絶縁体の組み合わせ方を示した斜視図
【図３】  図２における断面図
【図４】  図１における固定子にハウジングを圧入した状態の断面図
【図５】  鉄心圧入の途中での切り粉の動きを示す説明図
【図６】  従来の電動機の半断面図
【符号の説明】
１  鉄心
１ａ  鉄心の凹部
１ｂ  鉄心の打ち抜きバリ
２  絶縁体
２ａ  絶縁体に一体成型された凸部
２ｂ  絶縁体の内周面の底面側を外径方向に段付きとした部分
２ｃ  切り粉溜り部
３  巻線
４  永久磁石回転子
５  軸受
６  ハウジング
６ａ  ハウジングの切り粉
７  端子
８  プリント配線板
９  絶縁体
【図１】
0003642098.tif 000002
【図２】
0003642098.tif 000003
【図３】
0003642098.tif 000004
【図４】
0003642098.tif 000005
【図５】
0003642098.tif 000006
【図６】
0003642098.tif 000007